(57)【要約】【課題】１本で複数の信号線路を有するとともに、信号にノイズがのりにくく、しかも、全方向へ容易に撓むことができる上に、捻られても信号に悪影響を及ぼしにくい電線を提供する。【解決手段】第１内層チューブ１２及び第２内層チューブ１３よりなる芯線１１の外周には、複数の導線１４ａ〜１４ｄを、互いに非接触状態となるように所定の間隔をあけて螺旋状に巻回する。導線１４ａ〜１４ｄの上には、導線１４ａ〜１４ｄとは逆方向となるように絶縁線１５を螺旋状に巻回する。さらに、導線１４ａ〜１４ｄ及び絶縁線１５を、外層チューブ１６によって被覆する。【選択図】図１
2008084546.tif 000002
【特許請求の範囲】
【請求項１】
絶縁性及び可撓性を有する合成樹脂よりなる芯線の外周に複数の導線を互いに非接触状態で螺旋状に巻回し、その導線を絶縁性及び可撓性を有する合成樹脂よりなる被覆チューブによって被覆したことを特徴とする電線。
【請求項２】
前記芯線を管状に形成したことを特徴とする請求項１に記載の電線。
【請求項３】
前記芯線を、複数層のチューブによって構成するとともに、隣り合うチューブ同士の硬さを互いに異ならせたことを特徴とする請求項２に記載の電線。
【請求項４】
前記芯線の孔内に、光ファイバを挿通させたことを特徴とする請求項２または請求項３に記載の電線。
【請求項５】
前記被覆チューブを、複数層のチューブによって構成するとともに、隣り合うチューブ同士の硬さを互いに異ならせたことを特徴とする請求項１〜請求項４のいずれか一項に記載の電線。
【請求項６】
前記導線の外周には、絶縁線を螺旋状または網目状に巻回したことを特徴とする請求項１〜請求項５のいずれか一項に記載の電線。
【請求項７】
前記被覆チューブの外周を、シールド網線及び副被覆チューブによって覆ったことを特徴とする請求項１〜請求項６のいずれか一項に記載の電線。
【請求項８】
絶縁性及び可撓性を有する合成樹脂よりなる管状の芯線の外周に複数の導線を互いに非接触状態で螺旋状に巻回し、その導線を絶縁性及び可撓性を有する合成樹脂よりなる被覆チューブによって被覆したことを特徴とするカテーテル。
【請求項９】
前記芯線の孔内に、光ファイバを挿通させたことを特徴とする請求項８に記載のカテーテル。
【発明の詳細な説明】
【技術分野】
【０００１】
この発明は、複数の信号線路を形成するために好適な信号伝達用の電線、及び、複数の信号線路を形成するために好適なカテーテルに関するものである。
【背景技術】
【０００２】
従来、この種の電線としては、例えば、特許文献１に開示される同軸フラットケーブルがある。この同軸フラットケーブルは、互いに平行に配置された複数の同軸線を所定間隔で配列した構成を備えている。この構成によれば、複数の信号線路がそれぞれ同軸線によって形成されるため、単なるフラットケーブルに比べて各信号線路により伝送される信号に外部磁界によるノイズがのりにくい。
【０００３】
また、２本の導線を撚り合わせたツイストペアケーブルを複数本束ねて用いる方法もある。ツイストペアケーブルは、２本の導線が連続して向きを変えるため、外部磁界により各導線に誘起される電流は互いに打ち消される。このため、各ケーブルによって伝送される信号にノイズがのりにくい。
【０００４】
また、カテーテルには、その先端に触覚センサや血圧センサを備えたものがあり、このようなカテーテルの孔には、前記センサに電力を供給したり、その出力信号を伝送したりするための電線が装着される。この電線には、例えばツイストペアケーブルが用いられている。
【特許文献１】特開２００１−２２９７４２号公報
【発明の開示】
【発明が解決しようとする課題】
【０００５】
ところが、特許文献１の同軸フラットケーブルは、複数の同軸線を平行に配列した構成であるため、その幅方向へ撓むことが殆どできずその用途が限られる。しかも、ケーブルを捻ったときに各同軸線に加わる応力が大きくなり易く、インピーダンスが変化して信号に悪影響を及ぼし易い。一方、上記ツイストペアケーブルは、２本の導線を撚り合わせた構成であるため、全方向へ容易に撓む。また、ケーブルを捻っても各導線に加わる応力が大きくなりにくく、インピーダンスが変化しにくい。しかしながら、複数の信号線路を確保するためには、複数本のツイストペアケーブルを用いなければならず、扱いが不便である。
【０００６】
また、前記カテーテルにおいては、その直径を小さくすることが要求される一方、その内部に複数の信号線路を確保することが要求されている。しかしながら、直径が例えば０．３〜３ｍｍ程度のカテーテルの孔に、複数本のツイストペアケーブルを挿通させることは困難であり、上記のような両方の要求を満足するカテーテルは存在しなかった。
【０００７】
この発明は、このような従来の技術に存在する問題点に着目してなされたものである。その目的とするところは、１本で複数の信号線路を有するとともに、信号にノイズがのりにくく、しかも、全方向へ容易に撓むことができる上に、捻られても信号に悪影響を及ぼしにくい電線及びカテーテルを提供することにある。
【課題を解決するための手段】
【０００８】
上記の目的を達成するために、請求項１に記載の発明は、絶縁性及び可撓性を有する合成樹脂よりなる芯線の外周に複数の導線を互いに非接触状態で螺旋状に巻回し、その導線を絶縁性及び可撓性を有する合成樹脂よりなる被覆チューブによって被覆したことを特徴とする。
【０００９】
請求項１に記載の発明においては、複数の導線により、それぞれ信号線路が形成される。このため、１本の電線に複数の信号線路が確保される。また、螺旋状に巻回された導線は、連続して向きを変えるため、外部磁界によって導線内に誘起される電流は互いに打ち消される。従って、従来のフラットケーブルに比較して、各導線によって伝送される信号にノイズがのりにくい。また、複数の導線が円周上に配設されるため、電線が撓む方向が制限されず、全方向に撓むことができる。さらに、導線が螺旋状に巻回されているため、捻られても導線に応力が加わりにくく、インピーダンスが変化しにくいため、信号に悪影響を及ぼしにくい。
【００１０】
請求項２に記載の発明は、請求項１に記載の発明において、前記芯線を管状に形成したことを特徴とする。
この発明においては、管状とされた芯線の内側にカテーテル案内用のガイドワイヤを通したり、芯線の内側を通じて薬液や体液を輸送したりすることができる。このため、電線を、カテーテル用のチューブとして用いることができる。
【００１１】
請求項３に記載の発明は、請求項２に記載の発明において、前記芯線を、複数層のチューブによって構成するとともに、隣り合うチューブ同士の硬さを互いに異ならせたことを特徴とする。
【００１２】
この発明においては、電線に腰を持たせ、しなやかで折れにくくすることができるとともに、芯線の内周側を硬いチューブによって形成してその内周面に傷が付きにくくすることができる。また、芯線の内周側を柔らかいチューブによって形成してその内周面に対する衝突を緩衝したりすることもできる。
【００１３】
請求項４に記載の発明は、請求項２または請求項３に記載の発明において、前記芯線の孔内に、光ファイバを挿通させたことを特徴とする。
この発明においては、導線によって電気信号を伝送できる上に、光ファイバによって光を伝送することができる。
【００１４】
請求項５に記載の発明は、請求項１〜請求項４のいずれか一項に記載の発明において、前記被覆チューブを、複数層のチューブによって構成するとともに、隣り合うチューブ同士の硬さを互いに異ならせたことを特徴とする。
【００１５】
この発明においては、電線に腰を持たせ、しなやかで折れにくくすることができるとともに、被覆チューブの外周側を硬いチューブによって形成してその外周面に傷が付きにくくすることができる。また、被覆チューブの外周側を柔らかいチューブによって形成することで電線の外周面に対する衝突を緩衝することもできる。
【００１６】
請求項６に記載の発明は、請求項１〜請求項５のいずれか一項に記載の発明において、前記導線の外周には、絶縁線を螺旋状または網目状に巻回したことを特徴とする。
この発明においては、導線の上に螺旋状または網目状に巻回された絶縁線により、電線の製造時及び使用時において、芯線上において導線が位置ずれしにくくなる。このため、導線同士の接触が有効に防止される。
【００１７】
請求項７に記載の発明は、請求項１〜請求項６のいずれか一項に記載の発明において、前記被覆チューブの外周を、シールド網線及び副被覆チューブによって覆ったことを特徴とする。
【００１８】
この発明においては、シールド網線により外部磁界が遮断され、導線により電装される信号にノイズがさらにのりにくくなる。
請求項８に記載の発明は、絶縁性及び可撓性を有する合成樹脂よりなる管状の芯線の外周に複数の導線を互いに非接触状態で螺旋状に巻回し、その導線を絶縁性及び可撓性を有する合成樹脂よりなる被覆チューブによって被覆したことを特徴とする。
【００１９】
この発明においては、複数の導線により、それぞれ信号線路が形成される。このため、複数の信号線路をより細いカテーテルに設けることができる。また、螺旋状に巻回された導線は、連続して向きを変えるため、外部磁界によって導線内に誘起される電流は互いに打ち消される。このため、各導線によって伝送される信号にノイズがのりにくい。また、複数の導線が円周上に配設されるため、カテーテルが撓む方向が制限されず、全方向に撓むことができる。さらに、導線が螺旋状に巻回されているため、捻られても導線に応力が加わりにくく、インピーダンスが変化しにくいため、信号に悪影響を及ぼしにくい。
【００２０】
請求項９に記載の発明は、請求項８に記載の発明において、前記芯線の孔内に、光ファイバを挿通させたことを特徴とする。
この発明においては、導線によって電気信号を伝送できる上に、光ファイバによって光を伝送することができる。このため、より高機能のカテーテルを実現することができる。
【発明の効果】
【００２１】
この発明の電線及びカテーテルは、１本で複数の信号線路を有するとともに、信号にノイズがのりにくく、しかも、全方向へ容易に撓むことができる上に、捻られても信号に悪影響を及ぼしにくい効果を発揮する。
【発明を実施するための最良の形態】
【００２２】
（第１実施形態）
次に、この発明をカテーテルに具体化した第１実施形態について図１〜図３を用いて説明する。
【００２３】
図１及び図２に示すように、カテーテル１０における管状の芯線１１は、第１内層チューブ１２と、その内周側に配置された第２内層チューブ１３とを有している。第１内層チューブ１２は、絶縁性を有するとともに可撓性に優れた材料、例えば、ポリアミド・エラストマーにより形成されている。第２内層チューブ１３は、絶縁性及び可撓性を有するとともに、第１内層チューブ１２よりも高い硬さを有する合成樹脂材料、例えば、ポリアミド系合成樹脂、フッ素樹脂等により形成されている。
【００２４】
第１内層チューブ１２の外周面には、複数本の導線１４ａ，１４ｂ，１４ｃ，１４ｄが、互いに非接触状態となるように所定間隔をおいて同方向に、かつ同ピッチで螺旋状に巻回されている。すなわち、各導線１４ａ〜１４ｄは、互いに独立した信号線路である。導線１４ａ〜１４ｄは裸導線であって、その外径は例えば０．０５〜０．１ｍｍの範囲内とされている。なお、この実施形態において、各導線１４ａ〜１４ｄは、左方向に巻回されているが、右方向であってもよい。
【００２５】
また、第１内層チューブ１２の外周には、各導線１４ａ〜１４ｄ上に、かつ導線１４ａ〜１４ｄとは逆方向に、絶縁線１５が螺旋状に巻回されている。絶縁線１５は、例えばポリアミド、ポリエチレンテレフタレート等により形成されている。
【００２６】
さらに、導線１４ａ〜１４ｄ及び絶縁線１５は、絶縁性及び可撓性を有する被覆チューブとしての外層チューブ１６によって被覆されている。外層チューブ１６は単層であって、前記第２内層チューブ１３と同様に、高い引張強度を有する材料、例えば、ポリアミド系合成樹脂、フッ素樹脂等により形成されている。
【００２７】
カテーテル１０の端部には、図３に示すように、各導線１４ａ〜１４ｄにそれぞれ電気接続された電極１８ａ，１８ｂ，１８ｃ，１８ｄが設けられている。各電極１８ａ〜１８ｄは環状に形成され、カテーテル１０の長手方向に配列されている。
【００２８】
上記カテーテル１０は、例えば０．７〜１．１ｍｍの外径を有している。
次に、上記のように構成されたこの実施形態の製造方法について説明する。
上記カテーテル１０を製造するには、まず、鉄材等からなる芯棒の外周に第１内層チューブ１２と第２内層チューブ１３とを２色同時に押し出し成形することにより芯線１１を形成する。
【００２９】
次に、前記芯棒の外周に形成された芯線１１の外周に対し、撚線機を用いて、各導線１４ａ〜１４ｄを螺旋状に巻回する。
次に、導線１４ａ〜１４ｄが巻回された芯線１１の外周に対し、撚線機を用いて、導線１４ａ〜１４ｄとは逆方向の螺旋状に絶縁線１５を巻回させる。このため、製造時において、芯線１１上における各導線１４ａ〜１４ｄの位置ずれが防止される。
【００３０】
次に、導線１４ａ〜１４ｄ及び絶縁線１５が巻回された芯線１１の外周に対し、外層チューブ１６を押し出し成形により被覆形成する。そして、外層チューブ１６のシュリンクにより、芯線１１と外層チューブ１６の間に、各導線１４ａ〜１４ｄ及び絶縁線１５を挟持させる。
【００３１】
次に、カテーテル１０の端部において外層チューブ１６の複数箇所を環状に除去し、その部分に前記電極１８ａ〜１８ｄを装着させる。そして、各電極１８ａ〜１８ｄを、それぞれ導線１４ａ〜１４ｄに対して接触させた状態で外層チューブ１６に熱で溶着させる。
【００３２】
最後に、芯線１１の孔から芯棒を引き抜くことにより、カテーテル１０が製造される。
上記のように構成されたカテーテル１０は、カテーテル案内用のガイドワイヤを芯線１１の孔に挿通させて用いられる。カテーテル１０は、第１内層チューブ１２、第２内層チューブ１３、絶縁線１５及び外層チューブ１６によって適度に設定された剛性及び可撓性により、人体の血管等内に対して容易に挿入される。そして、カテーテル１０の先端に装着された触覚センサや血圧センサと、触覚、血圧測定機器との間の信号の受け渡しは、各導線１４ａ〜１４ｄを介して行われる。また、芯線１１の孔を通じて、患者の体内から体液が排出されたり、患者の患部に供給するための薬液や造影剤が輸送されたりする。
【００３３】
次に、この実施形態のカテーテル１０を捻ったときのインピーダンスの変化について説明する。
図４は、この実施形態のカテーテル１０と、従来のフラットケーブルとについて、静置したときと、捻った状態で保持したときのそれぞれインピーダンスの時間的変化を示す。図４に示す結果から明らかなように、カテーテル１０は、フラットケーブルに比較して、静置時のインピーダンスと、捻った状態で保持したときのインピーダンスとの差が小さく、かつ、捻った状態でのインピーダンスの時間経過に伴う変動量が小さくなっている。従って、この実施形態のカテーテル１０は、捻られることによるインピーダンスの変化がフラットケーブルよりも小さいことが分かる。
【００３４】
次に、この実施形態のカテーテル１０を捻った状態で保持したときの出力信号への影響について説明する。
図５は、カテーテル１０の先端に圧力センサを装着し、導線１４ａ〜１４ｄを通じてその出力信号を受け取ったときの出力信号の時間的変化を示す。なお、この圧力センサは、ミクロンオーダのコイル状炭素繊維を誘電成の母材に分散して構成され、母材に加えられた圧力による母材及びコイル状炭素繊維の弾性変形によって圧力センサのインピーダンスを変化させるものである。そして、このインピーダンスの変化量を電気的に取り出すことにより、圧力の強さが検出される。図５に示す結果から明らかなように、カテーテル１０を捻らない静置状態として圧力センサから受け取った出力信号と、カテーテル１０を捻って保持した状態で圧力センサから受け取った出力信号とには殆ど形状に差がない。従って、このカテーテル１０は、捻られることによる信号への悪影響が小さいことが分かる。
【００３５】
上記の実施形態は、以下の効果を発揮する。
（１）  絶縁性及び可撓性を有する芯線１１の外周に、複数の導線１４ａ〜１４ｄを互いに非接触となるように螺旋状に巻回し、その導線１４ａ〜１４ｄを外層チューブ１６によって被覆してカテーテル１０を構成した。従って、１本のカテーテル１０に複数の信号線路が形成される。
【００３６】
（２）  螺旋状に巻回された複数の導線１４ａ〜１４ｄは連続して向きを変える。このため、外部磁界によって各導線１４ａ〜１４ｄに誘起される電流は互いに打ち消される。従って、各導線１４ａ〜１４ｄによって伝送される信号にノイズがのりにくい。
【００３７】
（３）  複数の導線１４ａ〜１４ｄが円周上に配設されるため、カテーテル１０は、撓む方向が制限されず、全方向へ容易に撓む。
（４）  導線１４ａ〜１４ｄが螺旋状に巻回されているため、カテーテル１０を捻っても各導線１４ａ〜１４ｄに応力が加わり難く、インピーダンスが変化しにくい。従って、カテーテル１０を捻っても各導線１４ａ〜１４ｄに加わる応力によって伝送される信号に悪影響が出にくい。
【００３８】
（５）  芯線１１を、導線１４ａ〜１４ｄが巻回される第１内層チューブ１２と、第１内層チューブ１２の内周側に形成されるとともに第１内層チューブ１２よりも硬い第２内層チューブ１３とにより構成した。このため、第１内層チューブ１２によってカテーテル１０の可撓性が確保されるとともに、第２内層チューブ１３によって傷に対する強度が向上する。従って、腰があって、しなやかで折れにくく、使い易いカテーテル１０とすることができる上に、芯線１１の孔の内周面にガイドワイヤ等による傷が付きにくいようにすることができる。
【００３９】
（６）  各導線１４ａ〜１４ｄの上に、導線１４ａ〜１４ｄとは逆方向の螺旋状に絶縁線１５を巻回した。このため、カテーテル１０の製造時において、芯線１１上における各導線１４ａ〜１４ｄの位置ずれが防止され、導線１４ａ〜１４ｄ同士の接触が防止される。また、カテーテル１０の使用時において、カテーテル１０を繰り返し撓ませても、芯線１１上における各導線１４ａ〜１４ｄの位置ずれが防止され、導線１４ａ〜１４ｄ同士の接触が有効に防止される。従って、導線１４ａ〜１４ｄ同士の接触による信号の伝送不具合が起きないようにすることができる。
【００４０】
（第２実施形態）
次に、この発明をカテーテルに具体化した第２実施形態について図６及び図７を用いて説明する。なお、前記第１実施形態と異なる構成を中心に説明する。
【００４１】
図６及び図７に示すように、この第２実施形態のカテーテル１０においては、前記第１実施形態とは異なり、芯線としての内層チューブ２０の外周に、前記導線１４ａ〜１４ｄが螺旋状に巻回されるとともに、その上から前記絶縁線１５が逆方向の螺旋状に巻回されている。内層チューブ２０は、例えば前記第２内層チューブ１３と同様の材料から形成されている。そして、各導線１４ａ〜１４ｄ及び絶縁線１５の上には、導線１４ａ〜１４ｄ及び絶縁線１５に被覆される第１外層チューブ２１と、第１外層チューブ２１の外周側に配置される第２外層チューブ２２とからなる被覆チューブが形成されている。第１外層チューブ２１は、例えば前記第１内層チューブ１２と同様の材料から形成され、第２外層チューブ２２は、例えば前記外層チューブ１６と同様の材料から形成されている。
【００４２】
この実施形態のカテーテル１０は、内層チューブ２０が単色押し出し成形されるとともに、被覆チューブが２色押し出し成形される。
この実施形態は、前記第１実施形態の（１）〜（４），（６）に記載の効果に加えて、以下の効果を有する。
【００４３】
（７）  導線１４ａ〜１４ｄに被覆される第１外層チューブ２１と、この第１外層チューブ２１の外周側に配置されるとともに第１外層チューブ２１よりも硬い合成樹脂材料からなる第２外層チューブ２２とにより被覆チューブを構成した。このため、第１外層チューブ２１によってカテーテル１０の可撓性が確保されるとともに、第２外層チューブ２２によって傷に対する強度が確保される。従って、腰があって、しなやかで折れにくく、使い易いカテーテル１０とすることができる上に、その外周面に傷が付きにくいようにすることができる。
【００４４】
（第３実施形態）
次に、この発明を電線に具体化した第３実施形態について図８及び図９を用いて説明する。
【００４５】
図８及び図９に示すように、電線３０の芯線３１は、絶縁性及び可撓性を有する合成樹脂の中実体からなる。芯線３１は、絶縁性を有するとともに可撓性に優れた材料、例えば、ポリアミド・エラストマーにより形成されている。芯線３１の外周面には、前記導線１４ａ，１４ｂ，１４ｃ，１４ｄが、互いに非接触状態となるように所定間隔をおいて同方向に、かつ同ピッチで螺旋状に巻回されている。導線１４ａ〜１４ｄ上には、導線１４ａ〜１４ｄとは逆方向の螺旋状に前記絶縁線１５が巻回されている。そして、導線１４ａ〜１４ｄ及び絶縁線１５は、前記外層チューブ１６により被覆されている。なお、図示はしないが、電線３０の端部には、前記電極１８ａ〜１８ｄが導線１４ａ〜１４ｄに電気接続された状態で設けられている。
【００４６】
この実施形態の電線３０は、前記第１実施形態における（１）〜（４），（６）に記載の効果を有する。
（他の実施形態）
なお、この実施形態は、次のように変更して具体化することも可能である。
【００４７】
・  第１〜第３実施形態において、各導線１４ａ〜１４ｄの外周に対し、各導線１４ａ〜１４ｄと同方向に、かつ、異なるピッチで絶縁線１５を螺旋状に巻回する。この場合にも、絶縁線１５によって導線１４ａ〜１４ｄを保持し、導線１４ａ〜１４ｄの位置ずれを防止できる。
【００４８】
また、各導線１４ａ〜１４ｄの外周に対し、絶縁線１５を網目状に巻回する。すなわち、絶縁線１５を、右回り及び左回りに巻回する。
・  図１及び図２に二点鎖線で示すように、芯線１１の孔に、光ファイバ２５を挿通させる。この場合には、導線１４ａ〜１４ｄによって電気信号を伝送できる上に、光ファイバ２５により、光を伝送することができる。
【００４９】
・  図１及び図２に二点鎖線で示すように、外層チューブ１６の外周に、シールド網線２６を設けるとともに、そのシールド網線２６の外周を副被覆チューブ２７により覆った構成とする。この場合には、シールド網線２６によって外部磁界を遮断し、各導線１４ａ〜１４ｄによって伝送される電気信号にノイズがさらにのりにくいようにすることができる。
【００５０】
・  第１実施形態において、第１内層チューブ１２を第２内層チューブ１３よりも硬い合成樹脂材料によって形成する。この場合には、腰があって、しなやかで折れにくいカテーテル１０とすることができる上に、芯線１１の孔の内周面に対するガイドワイヤの衝突を緩衝することができる。
【００５１】
・  第２実施形態において、第１外層チューブ２１を第２外層チューブ２２よりも硬い合成樹脂材料によって形成する。この場合には、腰があって、しなやかで折れにくいカテーテル１０とすることができる上に、第２外層チューブ２２の外周面に対する血管等の当たりを柔らかくすることができる。
【００５２】
・  第３実施形態において、図９に二点鎖線で示すように、芯線３１を管状とする。
・  第１実施形態において、第２内層チューブ１３の内周側に、第２内層チューブ１３よりも柔らかい合成樹脂材料からなる第３内層チューブを設けた構成とする。この場合には、腰があって、しなやかで折れにくいカテーテル１０とすることができる上に、第３内層チューブにより芯線１１の孔の内周面に対するガイドワイヤの衝突を緩衝することができる。
【００５３】
また、第１内層チューブ１２、第２内層チューブ１３及び第３内層チューブの順により硬い合成樹脂材料によって各チューブを形成する。この構成によれば、より腰があって、よりしなやかで、より折れにくいカテーテル１０とすることができる上に、第３内層チューブにより芯線１１の孔の内周面にガイドワイヤ等による傷がよりつきにくくなる。
【００５４】
また、第１内層チューブ１２、第２内層チューブ１３及び第３内層チューブの順により柔らかい合成樹脂材料によって各チューブを形成する。この構成によれば、より腰があって、よりしなやかで、より折れにくいカテーテル１０とすることができる上に、第３内層チューブにより芯線１１の孔の内周面に対するガイドワイヤの衝突をより有効に緩衝することができる。
【００５５】
・  第２実施形態において、第２外層チューブ２２の外周側に、第２外層チューブ２２よりも柔らかい合成樹脂材料からなる第３外層チューブを設けた構成とする。この場合には、腰があって、しなやかで折れにくいカテーテル１０とすることができる上に、第３外層チューブによりカテーテル１０の外周面に対する手術器具等の衝突を緩衝することができる。
【００５６】
また、第１外層チューブ２１、第２外層チューブ２２及び第３外層チューブの順により硬い合成樹脂材料によって各チューブを形成する。この構成によれば、より腰があって、よりしなやかで、より折れにくいカテーテル１０とすることができる上に、第３外層チューブによりカテーテル１０の外周面に手術器具等による傷がより付きにくくなる。
【００５７】
また、第１外層チューブ２１、第２外層チューブ２２及び第３外層チューブの順により柔らかい合成樹脂材料によって各チューブを形成する。この構成によれば、より腰があって、よりしなやかで、より折れにくいカテーテル１０とすることができる上に、第３外層チューブによりカテーテル１０の外周面に対する手術器具等の衝突をより有効に緩衝することができる。
【００５８】
・  第１又は第２実施形態において、絶縁線１５を備えない構成とする。
・  第１又は第２実施形態において、導線を、エナメル線等の被覆線とする。
以下、上記実施形態から把握された技術的思想を記載する。
【００５９】
（１）  請求項８に記載のカテーテルにおいて、前記導線の外周には、絶縁線を螺旋状または網目状に巻回したことを特徴とする。このような構成によれば、導線の上に螺旋状または網目状に巻回された絶縁線により、電線の製造時及び使用時において、芯線上において導線が位置ずれしにくくなる。このため、導線同士の接触が有効に防止される。
【図面の簡単な説明】
【００６０】
【図１】第１実施形態における電線の一部を示す模式構成図。
【図２】同じく延長方向に直交する平面における縦断面図。
【図３】電線の端部に設けられた電極を示す模式構成図。
【図４】電線及びフラットケーブルのインピーダンスの時間的変化を示すグラフ。
【図５】センサの出力信号を示すグラフ。
【図６】第２実施形態における電線の一部を示す模式構成図。
【図７】同じく延長方向に直交する平面における縦断面図。
【図８】第３実施形態における電線の一部を示す模式構成図。
【図９】同じく延長方向に直交する平面における縦断面図。
【符号の説明】
【００６１】
１０…電線、１１…芯線、１２…芯線を構成する第１内層チューブ、１３…同じく第２内層チューブ、１４ａ〜１４ｄ…導線、１５…絶縁線、１６…被覆チューブとしての外層チューブ、２０…芯線としての内層チューブ、２１…被覆チューブを構成する第１外層チューブ、２２…同じく第２外層チューブ、２５…光ファイバ、２６…シールド網線、２７…副被覆チューブ、３０…電線、３１…芯線。
【図１】
2008084546.tif 000003
【図２】
2008084546.tif 000004
【図３】
2008084546.tif 000005
【図４】
2008084546.tif 000006
【図５】
2008084546.tif 000007
【図６】
2008084546.tif 000008
【図７】
2008084546.tif 000009
【図８】
2008084546.tif 000010
【図９】
2008084546.tif 000011